(57)【要約】  外瘻チューブと内瘻チューブを一回の内視鏡による措置で設置することができる胆道ドレナージチューブの提供を目的とする。  本発明は、胆道をドレナージするために使用されるチューブであって、長尺な外瘻チューブ（２）と、外瘻チューブ（２）の先端に着脱可能に設けられた内瘻チューブ（３）と、を備えている。  また、外瘻チューブ（２）と内瘻チューブ（３）の両方を胆管（Ｃｄ）に配置することができる。  そして、外瘻チューブ（２）を抜去すれば、内瘻チューブ（３）だけを胆管に残しておくことができるから、外瘻チューブ（２）から内瘻チューブ（３）に切り替えるときに、再度内視鏡（Ｅ）による施術をしなくてもよくなるので、患者の負担を軽減することができる。
2015133333.tif 000002
【特許請求の範囲】
【請求項１】
胆道をドレナージするために使用されるチューブであって、長尺な外瘻チューブと、該外瘻チューブの先端に該外瘻チューブから分離可能に設けられた内瘻チューブと、を備えていることを特徴とする胆道ドレナージチューブ。
【請求項２】
前記内瘻チューブは、前記外瘻チューブの先端に挿入された状態で前記外瘻チューブに取り付けられていることを特徴とする請求項１記載の胆道ドレナージチューブ。
【請求項３】
前記外瘻チューブは、本体部と、該本体部の先端部に設けられた細径部を備えており、該細径部は、本体部の外径および前記内瘻チューブの内径よりも外径が細くなるように形成されており、前記内瘻チューブは、前記外瘻チューブの細径部が該内瘻チューブ内に挿入された状態で前記外瘻チューブに取り付けられていることを特徴とする請求項２記載の胆道ドレナージチューブ。
【請求項４】
前記内瘻チューブの脱落を防止する脱落防止部を備えていることを特徴とする請求項１、２または３記載の胆道ドレナージチューブ。
【請求項５】
前記脱落防止部は、前記内瘻チューブと前記外瘻チューブを連結するものであり、体内で溶ける素材によって形成されていることを特徴とする請求項４記載の胆道ドレナージチューブ。
【請求項６】
前記脱落防止部が、前記内瘻チューブと前記外瘻チューブを連結する糸および／またはテープおよび／または接着剤であることを特徴とする請求項５記載の胆道ドレナージチューブ。
【請求項７】
前記外瘻チューブの細径部は、その軸方向の長さが前記内瘻チューブの長さよりも長くなっており、前記内瘻チューブの脱落を防止する脱落防止部を備えており、該脱落防止部は、前記外瘻チューブの細径部に設けられた、前記内瘻チューブの内径よりも径が太くなった部分であり、前記内瘻チューブを取り付けた状態において、前記内瘻チューブの先端から突出した位置に設けられており、外部からの刺激により径を収縮し得る構造を有していることを特徴とする請求項３記載の胆道ドレナージチューブ。
【請求項８】
前記脱落防止部は、前記外瘻チューブの細径部を変形させて形成されたものであり、ガイドワイヤーよりも剛性の低い素材によって形成されていることを特徴とする請求項７記載の胆道ドレナージチューブ。
【請求項９】
前記脱落防止部は、前記外瘻チューブの細径部を螺旋状に形成したものであることを特徴とする請求項７または８記載の胆道ドレナージチューブ。
【請求項１０】
前記内瘻チューブと前記外瘻チューブを連結する連結部が設けられており、該連結部は、超音波刺激によって前記内瘻チューブと前記外瘻チューブの連結が分離し得るように構成されていることを特徴とする請求項１記載の胆道ドレナージチューブ。
【請求項１１】
前記内瘻チューブと前記外瘻チューブが連続した一本のチューブから形成されていることを特徴とする請求項１０記載の胆道ドレナージチューブ。
【請求項１２】
胆道をドレナージするために使用されるチューブであって、本体部と、該本体部の先端に設けられた細径部と、を備えており、該細径部は、前記本体部の外径および内瘻チューブの内径よりも外径が細いものであることを特徴とする胆道ドレナージチューブ。
【請求項１３】
前記細径部に、前記内瘻チューブの脱落を防止する脱落防止部が形成されていることを特徴とする請求項１２記載の胆道ドレナージチューブ。
【請求項１４】
前記細径部は、その軸方向の長さが前記内瘻チューブの長さよりも長くなっており、前記脱落防止部は、前記内瘻チューブの内径よりも径が太くなった部分であり、前記内瘻チューブを取り付けたときに、前記内瘻チューブの先端から突出する位置に設けられており、外部からの刺激により径を収縮し得る構造を有していることを特徴とする請求項１３記載の胆道ドレナージチューブ。
【請求項１５】
前記脱落防止部は、前記外瘻チューブの細径部を変形させて形成されたものであり、ガイドワイヤーよりも剛性の低い素材によって形成されていることを特徴とする請求項１３記載の胆道ドレナージチューブ。
【請求項１６】
前記脱落防止部は、前記外瘻チューブの細径部を螺旋状に形成したものであることを特徴とする請求項１４または１５記載の胆道ドレナージチューブ。
【請求項１７】
前記内瘻チューブは、その一端に、その一端から軸方向に延びる切欠きおよび／または切れ目が形成されていることを特徴とする請求項１乃至１１のいずれかに記載の胆道ドレナージチューブ。 
【発明の詳細な説明】
【技術分野】
【０００１】  本発明は、胆道ドレナージチューブに関する。さらに詳しくは、胆汁を体外または十二指腸に排出する配管として使用される胆道ドレナージチューブに関する。
【背景技術】
【０００２】  胆汁は、肝臓で作られる液体であり、胆管、胆嚢、総胆管を通って十二指腸に流入する。この胆汁は、十二指腸で膵液と一緒になることで、膵液の持つ消化酵素を活発にして、脂肪やタンパク質を分解して腸から吸収しやすくするという機能を有している。また、脂肪が分解されるとできる脂肪酸は吸収されにくくなるため、この脂肪酸を吸収しやすい形状に変化させる働きも胆汁は有している。【０００３】  ところで、胆道閉塞などが生じると胆汁の流れが停滞してしまうが、胆汁の流れが停滞しても肝臓は胆汁を作り続ける。十二指腸に流入する胆汁の量よりも肝臓で生産される胆汁の量の方が多くなると、胆汁は胆嚢に貯留される。しかし、胆嚢が一杯になってしまうと、肝臓で作られた胆汁の一部は肝臓に溜ることになる。かかる胆汁は、十二指腸に流入すれば、上述したような機能を発揮するのであるが、肝臓に溜まるとその組織を破壊してしまう。そして、肝硬変を起こす可能性もある。したがって、胆道閉塞が生じた場合には、胆汁の流れを改善する胆道の減圧（ドレナージ）が必要となる。【０００４】  胆道をドレナージする方法として、内視鏡を使用して、チューブを胆道に配置して胆汁の流路を形成する方法がある。この方法には、長いドレナージチューブ（外瘻チューブ）の一端を胆道に配置する一方その他端を鼻から体外に出して胆汁を体外に排液する外瘻法（図４（Ａ）参照）と、短いチューブ（内瘻チューブ）を胆管と十二指腸との間をつなぐように配置して胆汁を体内（つまり十二指腸）に流す内瘻法（図４（Ｂ）参照）がある。【０００５】  外瘻法は、胆汁の排出状況や排出量を把握できるので、ドレナージ効果が見えるという利点がある。一方、外瘻法は、外瘻チューブが鼻に通されており、また、排出された胆汁を回収する容器を常に携帯しなければならないので、患者に不快感を与えるという問題がある。このため、ドレナージの目的がある程度達成されたと判断されると、外瘻チューブを内瘻チューブに切り替えることが行われる。【０００６】  そして、外瘻チューブを内瘻チューブに切り替える場合には、外瘻チューブを抜去した後、内視鏡を挿入して内瘻チューブを配置する措置が行われる。内視鏡を挿入する措置は、患者にある程度の苦痛を与えるので、できるだけ迅速に行うことが必要である。【０００７】  かかる内瘻チューブを配置する装置として種々の装置が開示されており（例えば、特許文献１、２）、かかる措置を速くする医療機器として、「ラピッド  エクスチェンジ  胆管ステント・システム」（ボストン・サイエンティフィック  ジャパン製）が実用化されている。
【先行技術文献】
【特許文献】
【０００８】
【特許文献１】特表２０１３−５０５０８１号公報
【特許文献２】特開２００９−１３６６７６号公報
【発明の概要】
【発明が解決しようとする課題】
【０００９】  ところで、外瘻チューブや内瘻チューブの設置は、内視鏡による処置が必要になるが、上述したように内視鏡による処置は苦痛を伴うことが多く、患者の負担を考えれば、できるだけその回数を少なくすることが求められる。【００１０】  しかし、特許文献１、２に開示されている技術や「ラピッド  エクスチェンジ  胆管ステント・システム」を含めて、従来の内瘻チューブは、外瘻チューブを抜去した後で胆道に設置される。このため、内瘻チューブを設置するまでに、最低２回は内視鏡による処置が必要となる。１回の内視鏡による処置で、外瘻チューブと内瘻チューブの設置を行うことができればいいのであるが、現状では、そのような処置を可能とする医療機器は開発されていない。【００１１】  本発明は上記事情に鑑み、外瘻チューブと内瘻チューブを一回の内視鏡による措置で設置することができる胆道ドレナージチューブ提供することを目的とする。
【課題を解決するための手段】
【００１２】  第１発明の胆道ドレナージチューブは、胆道をドレナージするために使用されるチューブであって、長尺な外瘻チューブと、該外瘻チューブの先端に該外瘻チューブから分離可能に設けられた内瘻チューブと、を備えていることを特徴とする。  第２発明の胆道ドレナージチューブは、第１発明において、前記内瘻チューブは、前記外瘻チューブの先端に挿入された状態で前記外瘻チューブに取り付けられていることを特徴とする。  第３発明の胆道ドレナージチューブは、第２発明において、前記外瘻チューブは、本体部と、該本体部の先端部に設けられた細径部を備えており、該細径部は、本体部の外径および前記内瘻チューブの内径よりも外径が細くなるように形成されており、前記内瘻チューブは、前記外瘻チューブの細径部が該内瘻チューブ内に挿入された状態で前記外瘻チューブに取り付けられていることを特徴とする。  第４発明の胆道ドレナージチューブは、第１、第２または第３発明において、前記内瘻チューブの脱落を防止する脱落防止部を備えていることを特徴とする。  第５発明の胆道ドレナージチューブは、第４発明において、前記脱落防止部は、前記内瘻チューブと前記外瘻チューブを連結するものであり、体内で溶ける素材によって形成されていることを特徴とする。  第６発明の胆道ドレナージチューブは、第５発明において、前記脱落防止部が、前記内瘻チューブと前記外瘻チューブを連結する糸および／またはテープおよび／または接着剤であることを特徴とする。  第７発明の胆道ドレナージチューブは、第４発明において、前記外瘻チューブの細径部は、その軸方向の長さが前記内瘻チューブの長さよりも長くなっており、前記内瘻チューブの脱落を防止する脱落防止部を備えており、該前記脱落防止部は、前記外瘻チューブの細径部に設けられた、前記内瘻チューブの内径よりも径が太くなった部分であり、前記内瘻チューブを取り付けた状態において、前記内瘻チューブの先端から突出した位置に設けられており、外部からの刺激により径を収縮し得る構造を有していることを特徴とする。  第８発明の胆道ドレナージチューブは、第７発明において、前記脱落防止部は、前記外瘻チューブの細径部を変形させて形成されたものであり、ガイドワイヤーよりも剛性の低い素材によって形成されていることを特徴とする。  第９発明の胆道ドレナージチューブは、第７または第８発明において、前記脱落防止部は、前記外瘻チューブの細径部を螺旋状に形成したものであることを特徴とする。  第１０発明の胆道ドレナージチューブは、第１発明において、前記内瘻チューブと前記外瘻チューブを連結する連結部が設けられており、該連結部は、超音波刺激によって前記内瘻チューブと前記外瘻チューブの連結が分離し得るように構成されていることを特徴とする。  第１１発明の胆道ドレナージチューブは、第１０発明において、前記内瘻チューブと前記外瘻チューブが連続した一本のチューブから形成されていることを特徴とする。  第１２発明の胆道ドレナージチューブは、胆道をドレナージするために使用されるチューブであって、本体部と、該本体部の先端に設けられた細径部と、を備えており、該細径部は、前記本体部の外径および内瘻チューブの内径よりも外径が細いものであることを特徴とする。  第１３発明の胆道ドレナージチューブは、第１２発明において、前記細径部に、前記内瘻チューブの脱落を防止する脱落防止部が形成されていることを特徴とする。  第１４発明の胆道ドレナージチューブは、第１３発明において、前記細径部は、その軸方向の長さが前記内瘻チューブの長さよりも長くなっており、前記脱落防止部は、前記内瘻チューブの内径よりも径が太くなった部分であり、前記内瘻チューブを取り付けたときに、前記内瘻チューブの先端から突出する位置に設けられており、外部からの刺激により径を収縮し得る構造を有していることを特徴とする。  第１５発明の胆道ドレナージチューブは、第１３発明において、前記脱落防止部は、前記外瘻チューブの細径部を変形させて形成されたものであり、ガイドワイヤーよりも剛性の低い素材によって形成されていることを特徴とする。  第１６発明の胆道ドレナージチューブは、第１４または第１５発明において、前記脱落防止部は、前記外瘻チューブの細径部を螺旋状に形成したものであることを特徴とする。  第１７発明の胆道ドレナージチューブは、第１乃至第１１発明のいずれかにおいて、前記内瘻チューブは、その一端に、その一端から軸方向に延びる切欠きおよび／または切れ目が形成されていることを特徴とする。
【発明の効果】
【００１３】  第１〜第３発明によれば、外瘻チューブの先端部に内瘻チューブが設けられている状態で、内視鏡によって外瘻チューブの先端を胆管に配置すれば、外瘻チューブと内瘻チューブの両方を胆管に配置することができる。そして、外瘻チューブと内瘻チューブの両方を胆管に配置した状態から外瘻チューブを抜去すれば、内瘻チューブだけを胆管に残しておくことができる。したがって、外瘻チューブから内瘻チューブに切り替えるときに、再度内視鏡による施術をしなくてもよくなるので、患者の負担を軽減することができる。  第４発明によれば、内瘻チューブの脱落を防止する脱落防止部が設けられているので、外瘻チューブに内瘻チューブを取り付けた状態で、内視鏡によって外瘻チューブの先端を胆管に配置する作業を容易にすることができる。  第５発明によれば、脱落防止部が体内で溶ける素材によって形成されているので、チューブを配置してから一定の期間経過後には、内瘻チューブと外瘻チューブの連結が解除される。したがって、内瘻チューブと外瘻チューブの連結を解除する特別な作業をしなくても、外瘻チューブを抜去できるから、施術者および患者の負担を軽減することができる。  第６発明によれば、脱落防止部によって内瘻チューブと外瘻チューブをしっかりと連結しておくことができる。  第７発明によれば、脱落防止部によって内瘻チューブが外瘻チューブの細径部から脱落することを防ぐことができる。しかも、外部から刺激を加えれば、脱落防止部の径を収縮させることができるので、内瘻チューブを残して外瘻チューブだけを抜去することができる。  第８発明によれば、外瘻チューブの脱落防止部までガイドワイヤーを通せば、ガイドワイヤーの形状にならって脱落防止部が変形する。すると、脱落防止部はまっすぐになり内瘻チューブ内を通過できる状態になるので、内瘻チューブを残して外瘻チューブだけを抜去することができる。  第９発明によれば、脱落防止部が細径部を螺旋状に形成したものであるので、脱落防止部を外瘻チューブを胆管に固定しておくストッパーとして使用することができる。  第１０発明によれば、連結部によって内瘻チューブと外瘻チューブを連結しておくことができるので、内瘻チューブが外瘻チューブから脱落することを防ぐことができる。しかも、外部から超音波刺激を加えれば、内瘻チューブと外瘻チューブの連結部が分離するので、内瘻チューブを残して外瘻チューブだけを抜去することができる。  第１１発明によれば、内瘻チューブと外瘻チューブが連続した一本のチューブから形成されているので、内瘻チューブが外瘻チューブから脱落することがない。  第１２発明によれば、外瘻チューブに内瘻チューブを取り付けた状態で、内視鏡によって外瘻チューブの先端を胆管に配置すれば、外瘻チューブと内瘻チューブの両方を胆管に配置することができる。そして、外瘻チューブと内瘻チューブの両方を胆管に配置した状態から外瘻チューブを抜去すれば、内瘻チューブだけを胆管に残しておくことができる。したがって、外瘻チューブから内瘻チューブに切り替えるときに、再度内視鏡による施術をしなくてもよくなるので、患者の負担を軽減することができる。  第１３発明によれば、内瘻チューブの脱落を防止する脱落��止部が設けられているので、外瘻チューブの細径部に内瘻チューブを取り付けた状態で、内視鏡によって外瘻チューブの先端を胆管に配置する作業を容易にすることができる。  第１４発明によれば、脱落防止部によって内瘻チューブが外瘻チューブの細径部から脱落することを防ぐことができる。しかも、外部から刺激を加えれば、脱落防止部の径を収縮させることができるので、内瘻チューブを残して外瘻チューブだけを抜去することができる。  第１５発明によれば、外瘻チューブの脱落防止部までガイドワイヤーを通せば、ガイドワイヤーの形状にならって脱落防止部が変形する。すると、脱落防止部はまっすぐになり内瘻チューブ内を通過できる状態になるので、内瘻チューブを残して外瘻チューブだけを抜去することができる。  第１６発明によれば、脱落防止部が細径部を螺旋状に形成したものであるので、脱落防止部を外瘻チューブを胆管に固定しておくストッパーとして使用することができる。  第１７発明によれば、外瘻チューブを抜去する際に内瘻チューブの基端に半径方向に力が加わっても、内瘻チューブの基端に加わる上記力を弱めることができる。したがって、外瘻チューブを抜去する際に、内瘻チューブが抜け落ちることを抑制することができる。
【図面の簡単な説明】
【００１４】
【図１】本実施形態の胆道ドレナージチューブ１の先端部の概略拡大説明図であり、（Ａ）は概略側面図であり、（Ｂ）は内瘻チューブ３を断面にした概略側面図である。
【図２】本実施形態の胆道ドレナージチューブ１による胆道ドレナージを説明した概略側面図である。
【図３】他の実施形態の胆道ドレナージチューブ１の先端部の概略拡大説明図であり、（Ａ）は脱落防止部４Ｂが形成されている状態の概略説明図であり、（Ｂ）は脱落防止部４Ｂが伸ばされた状態の概略説明図である。
【図４】胆道ドレナージの概略説明図であり、（Ａ）は外瘻法の概略説明図であり、（Ｂ）は内瘻法の概略側面図である。
【図５】他の実施形態の胆道ドレナージチューブ１の先端部の概略拡大説明図である。
【図６】他の実施形態の内瘻チューブ４の単体説明図である。
【発明を実施するための形態】
【００１５】  つぎに、本発明の実施形態を図面に基づき説明する。  本発明の胆道ドレナージチューブは、胆管結石や腫瘍などによる閉塞性黄疸などの際に胆管に設置されるチューブであって、外瘻チューブの設置と同時に内瘻チューブを設置できるようにしたことに特徴を有している。
【００１６】（胆道ドレナージの説明）  まず、本実施形態の胆道ドレナージチューブ１について説明する前に、外瘻法によって本実施形態の胆道ドレナージチューブ１を設置する方法を簡単に説明する。
【００１７】  外瘻法によって胆道ドレナージを行う場合には、まず、内視鏡Ｅを鼻から挿入して内視鏡Ｅの先端を十二指腸Ｄ、つまり、胆管Ｃｄの出口付近に配置する。  ついで、内視鏡Ｅの鉗子孔を通して、金属などのある程度剛性の高い素材によって形成されたガイドワイヤーＧを十二指腸Ｄまで挿通させる。そして、ガイドワイヤーＧの先端部を胆管Ｃｄに挿入する（図２（Ａ）参照）。ガイドワイヤーＧの先端部が胆管Ｃｄの所定の位置に配置されると、胆道ドレナージチューブ１をガイドワイヤーＧに被せて、胆道ドレナージチューブ１の先端部を目的の位置まで誘導した後、内視鏡Ｅを抜去し、胆道ドレナージチューブ１が配置された状態とする。  最後に鼻から誘導チューブを挿入し、口から出ている胆道ドレナージチューブ１を鼻に誘導し、胆道ドレナージチューブ１の設置が完成する（図２（Ｂ）参照）。この状態となれば、胆道ドレナージチューブ１を通して胆汁を外部に排出できる。
【００１８】（本実施形態の胆道ドレナージチューブ１）  つぎに、本実施形態の胆道ドレナージチューブ１について説明する。
【００１９】  図１に示すように、本実施形態の胆道ドレナージチューブ１は、外瘻チューブ２と、外瘻チューブ２の先端に取り付けられる内瘻チューブ３と、外瘻チューブ２と内瘻チューブ３とを連結する脱落防止部４と、を備えている。
【００２０】（外瘻チューブ２）  外瘻チューブ２は、長尺なチューブであって、本体部２ａと本体部２ａの先端に設けられた細径部２ｂとを備えている。  本体部２ａは、一般的な外瘻チューブと同等の構造を有するものである。具体的には、本体部２ａは、その長さが２３００〜２３５０ｍｍ程度であり、その外径が２．７〜３．３ｍｍ（８〜１０Ｆｒ）程度であり、その内径が２．０〜２．８ｍｍ（６〜８．５Ｆｒ）程度のものである。つまり、本体部２ａは、内視鏡Ｅの鉗子口および胆管Ｃｄ内を通すことができる外径に形成されたチューブであって、その先端を胆管Ｃｄ内に配置した状態で鼻孔などを通してその基端を体外に配置することができる程度の長さに形成されたものである（図４（Ａ）参照）。
【００２１】  外瘻チューブ２の細径部２ｂは、外径が本体部２ａの外径よりも細い管状の部分である。具体的には、細径部２ｂは、その外径が１．７〜２．０ｍｍ（５〜６Ｆｒ）程度であり、その内径が１．２〜１．５ｍｍ（３．６〜４．５Ｆｒ）程度のものである。つまり、細径部２ｂは、その外径は本体部２ａの外径よりも細く、その内径はガイドワイヤーＧを挿通し得る大きさに形成されている。とくに、細径部２ｂの内径は、上記機能を有しつつ、胆汁をスムースに流すことができる径となっていることが望ましい。例えば、細径部２ｂの内径が１．２〜１．５ｍｍ（３．６〜４．５Ｆｒ）程度であれば、ガイドワイヤーＧをスムースに挿通でき、しかも、胆汁をスムースに細径部２ｂ内に導入することができる。
【００２２】  なお、外瘻チューブ２において、本体部２ａと細径部２ｂの接続部分の形状はとくに限定されない。例えば、図１に示すように、段差を有していれば、段差の部分に内瘻チューブ３を接触させて保持しておくことができるので、内瘻チューブ３を安定した状態で配置しておくことができる。
【００２３】  もちろん、接続部分がテーパ状になっていてもよい。この場合には、テーパ状の部分に内瘻チューブ３が押し込まれた状態とすれば、内瘻チューブ３を外瘻チューブ２の本体部２ａにある程度の連結力で連結させておくことができる。
【００２４】（内瘻チューブ３）  内瘻チューブ３は、短尺なチューブであり、一般的な内瘻に使用される内瘻チューブ（内瘻ステント）と同程度の長さを有するものである。具体的には、内瘻チューブ３を胆管Ｃｄ内に配置した際に、内瘻チューブ３の先端を肝内胆管付近に配置しても、その基端を十二指腸Ｄ内に突出させることができる程度に内瘻チューブ３は形成されている。例えば、内瘻チューブ３の長さは、７０〜１５０ｍｍ程度、好ましくは９０〜１２０ｍｍ程度であるが、その長さはとくに限定されない。
【００２５】  また、内瘻チューブ３は、その外径が２．０〜２．７ｍｍ（６〜８Ｆｒ）程度であり、その内径が１．８〜２．５ｍｍ（５．４〜７．５Ｆｒ）程度に形成されている。つまり、内瘻チューブ３は、その内径が外瘻チューブ２の細径部２ｂよりも大きく、その外径が外瘻チューブ２の本体部２ａの外径と同等または小さくなるように形成されている。したがって、内瘻チューブ３を外瘻チューブ２の細径部２ｂに取り付けることができ、しかも、内瘻チューブ３を設けても外瘻チューブ２を胆管Ｃｄに設置する邪魔とならない。
【００２６】  なお、内瘻チューブ３には、内瘻チューブ３が胆管Ｃｄ内で移動しないように固定しておくためのフラップ３ｓ等を備えている。
【００２７】（脱落防止部４）  図１に示すように、内瘻チューブ３の基端と外瘻チューブ２の本体部２ａの先端部の間には、脱落防止部４が設けられている。この脱落防止部４は、内瘻チューブ３と外瘻チューブ２の本体部２ａとを連結するものである。例えば、図１であれば、脱落防止部４は、シート状の部材によって形成されており、この脱落防止部４を内瘻チューブ３の基端と外瘻チューブ２の本体部２ａの先端部に巻きつけることによって両者を固定している。
【００２８】  しかも、脱落防止部４は、体内で溶ける素材によって形成されている。例えば、十二指腸内に存在する消化液（胆汁や膵液）によって、数日のうちに溶解する脂肪やタンパク質等や、水溶性の素材等によって形成されている。
【００２９】（本実施形態の胆道ドレナージチューブ１の作用効果）  以上のごとき構成であるので、本実施形態の胆道ドレナージチューブ１では、外瘻チューブ２と内瘻チューブ３の両方を胆管に配置することができる。つまり、外瘻チューブ２の細径部２ｂに内瘻チューブ３を取り付けた状態で、内視鏡Ｅによって外瘻チューブ３の先端を胆管に配置すれば、外瘻チューブ２と内瘻チューブ３の両方を胆管に配置することができる。
【００３０】  しかも、外瘻チューブ２の細径部２ｂから内瘻チューブ３が脱落することを防止する脱落防止部４を備えている。このため、外瘻チューブ２の細径部２ｂに内瘻チューブ３を取り付けた状態で、外瘻チューブ２を胆管に配置する際に、内瘻チューブ３が脱落する危険性を少なくすることができる。したがって、内視鏡Ｅによって内瘻チューブ３を取り付けた外瘻チューブ２の先端を胆管に配置する作業を容易にすることができる。
【００３１】  そして、脱落防止部４が体内で溶ける素材によって形成されているので、本実施形態の胆道ドレナージチューブ１を体内に配置してから一定の期間経過後には、脱落防止部４が溶けて外瘻チューブ２と内瘻チューブ３の連結が解除される。すると、内瘻チューブ３と外瘻チューブ２は、互いに自由に移動できる状態となる(図２（Ｃ）参照)。  すると、外瘻チューブ２による胆道ドレナージが終了したのち、外瘻チューブ２を抜去すれば、外瘻チューブ２だけを抜き取ることができ、内瘻チューブ３だけを胆管Ｃｄに残すことができる(図２（Ｄ）参照)。  つまり、本実施形態の胆道ドレナージチューブ１では、外瘻法から内瘻法に切り替える際に、再度内視鏡による施術をしなくてもよくなるので、患者の負担を軽減することができる。
【００３２】（脱落防止部４）  なお、脱落防止部４は、内瘻チューブ３と外瘻チューブ２を連結しておくことができるのであれば、上述したようなシート状のものに限られない。例えば、抜糸不要の医療用糸（吸収糸）によって内瘻チューブ３と外瘻チューブ２を縫合しておいてもよい。また、単に、体内で溶ける接着剤によって、内瘻チューブ３と外瘻チューブ２を接着してもよい。この場合でも、胆道ドレナージチューブ１を体内に配置してから一定の期間経過後には、医療用糸や接着剤が溶けて外瘻チューブ２と内瘻チューブ３の連結が解除される。
【００３３】  また、脱落防止部は、内瘻チューブ３の移動を規制できるものであれば、必ずしも上記のごとき構造に限られない。例えば、一端が内瘻チューブ３に固定され、他端が外瘻チューブ２の本体部２ａの基端までの延びた糸を脱落防止部としてもよい。この場合でも、糸を引っ張ったときに、その力で糸が内瘻チューブ３から外れたり糸が途中で切断したりするようになっていれば、外瘻チューブ２と内瘻チューブ３の連結を解除することができる。
【００３４】  また、脱落防止部４は、上述したように、内瘻チューブ３と外瘻チューブ２を連結するものに限られず、内瘻チューブ３が外瘻チューブ２から脱落することを防止できるものであればよい。
【００３５】  例えば、外瘻チューブ２の細径部２ｂを変形させて脱落防止部４を構成してもよい。具体的には、図３（Ａ）に示すように、外瘻チューブ２の細径部２ｂにおいて、内瘻チューブ３を取り付けたときに、内瘻チューブ３の先端よりも突出する部分を輪状にして、脱落防止部４Ｂとしてもよい。この場合、脱落防止部４Ｂの外径ＤＡが内瘻チューブ３の内径よりも大きければ、内瘻チューブ３が外瘻チューブ２の細径部２ｂから脱落することを防止することができる。
【００３６】  かかる構成とした場合には、脱落防止部４Ｂの外径ＤＡが内瘻チューブ３の内径よりも小さくならなければ、外瘻チューブ２から内瘻チューブ３から抜去できない。しかし、外瘻チューブ２の細径部２ｂをガイドワイヤーよりも剛性の低い素材によって形成しておけば、ガイドワイヤーＧを外瘻チューブ２に通すだけで、脱落防止部４Ｂの外径ＤＡを内瘻チューブ３の内径よりも小さくできる。つまり、外瘻チューブ３の細径部２ｂの脱落防止部４ＢまでガイドワイヤーＧを通せば、ガイドワイヤーの形状にならって脱落防止部４Ｂをまっすぐにすることができる（図３（Ｂ）参照）。すると、細径部２ｂの外径は内瘻チューブ３の内径よりも小さいので、脱落防止部４Ｂは内瘻チューブ内を通過できる状態になる。したがって、外瘻チューブ２の細径部２ｂに脱落防止部４Ｂを設けても、内瘻チューブ３を残して外瘻チューブ２だけを抜去することができる。
【００３７】  なお、外瘻チューブ２の細径部２ｂに形成する脱落防止部４Ｂの形状はとくに限定されず、内瘻チューブ３の内径よりも径が太くなった部分が形成できればよい。例えば、細径部２ｂを螺旋状にして脱落防止部を形成してもよいし、単に、細径部２ｂに球状の膨らみ（膨径部）を設けて脱落防止部としてもよい。細径部２ｂを螺旋状にして脱落防止部を形成した場合、外瘻チューブ２を胆管Ｃｄに固定しておくストッパーとして脱落防止部を使用することができる。
【００３８】  外瘻チューブ２の細径部２ｂが内瘻チューブ内を通過できる状態となるように脱落防止部を変形させる方法も、上述したガイドワイヤーＧを用いる方法に限定されない。例えば、体内に設置したのち、体温で元の形状に戻る形状記憶材料で細径部２ｂを形成すれば、細径部２ｂを曲げたり細径部２ｂに膨径部を形成していても、胆管Ｃｄに外瘻チューブ２を設置した後、ある程度の時間で細径部２ｂをまっすぐな状態（径が太くなった部分がない状態）に戻すことができる。
【００３９】  また、体温よりも高い（または低い）温度で元の形状に戻る形状記憶材料と使用した場合などには、外瘻チューブ２内に所定の温度の液体等を供給すれば、細径部２ｂをまっすぐに戻したり、膨径部を収縮させたりすることができる。
【００４０】  つまり、脱落防止部として、外部からの刺激によりその径（外瘻チューブ２の直径方向の長さ）を収縮し得る構造を採用すれば、脱落防止部によって内瘻チューブ３が外瘻チューブ２の細径部２ｂから脱落することを防ぐことができるし、内瘻チューブ３を残して外瘻チューブ２だけを抜去することが可能となるのである。
【００４１】  さらに、外瘻チューブ２の先端部を胆管Ｃｄに設置するまで、つまり、内瘻チューブ３を胆管Ｃｄに設置するまでの間、内瘻チューブ３が脱落しないように保持できるのであれば、脱落防止部は必ずしも設けなくてもよい。例えば、上述したように、外瘻チューブ２の本体部２ａと細径部２ｂの連結部分をテーパ状にしておけば、このテーパ状の部分に内瘻チューブ３が押し込むことで、ある程度は内瘻チューブ３の脱落を防止できる。しかし、脱落防止部を設けておけば安定して施術できるので、脱落防止部は設けるほうが望ましい。
【００４２】（外瘻チューブ２）  上記例では、外瘻チューブ２が本体部２ａと細径部２ｂを有している場合を説明した。  細径部２ｂを設けていれば、内瘻チューブ３を外瘻チューブ２に取り付け易くなるし、内瘻チューブ３を胆管Ｃｄに設置しやすいという利点がある。  一方、外瘻チューブ２は、その先端に内瘻チューブ３を配置した状態のまま、その先端を胆管Ｃｄに設置できるのであれば、必ずしも細径部２ｂは設けなくてもよい。例えば、外瘻チューブ２の外径（上記例であれば本体部２ａの外径に相当する）よりも内径が大きいチューブを内瘻チューブ３Ｂとして使用すればよい（図５（Ａ）参照）。
【００４３】  また、上記例の胆道ドレナージチューブ１では、外瘻チューブ２に内瘻チューブ３が取り付けられた状態で提供される状況を説明したが、内瘻チューブ３は、施術直前に外瘻チューブ２取り付けるようにしてもよい。この場合、患者の状態に合わせて適切な形や大きさの内瘻チューブ３を選択して使用することが可能となる。この場合でも、外瘻チューブ２は本体部２ａと細径部２ｂを有していてもよいし、外瘻チューブ２が細径部２ｂを有してないものでもよい。
【００４４】  また、上記例では、内瘻チューブ３は、外瘻チューブ２の先端部に挿入される場合を説明したが、外瘻チューブ２の先端と内瘻チューブ３の基端が連結部によって連結されていてもよい。例えば、外瘻チューブ２の先端と内瘻チューブ３の基端とを突き合わせた状態でシート状の部材（連結部）によって固定してもよい（図５（Ｂ）参照）。
【００４５】  また、外瘻チューブ２と内瘻チューブ３を一体で形成し、その境界部分を超音波刺激によって分離し得るように形成してもよい。この場合、外部から超音波刺激を加えれば、内瘻チューブ３と外瘻チューブ２の連結部が分離するので、内瘻チューブ３を残して外瘻チューブ２だけを抜去することができる。そして、内瘻チューブ３と外瘻チューブ２が連続した一本のチューブから形成されているので、内瘻チューブ３が外瘻チューブ２から脱落することがない。
【００４６】（内瘻チューブ）  内瘻チューブ２は、その基端にスリットや切欠き等が形成されていてもよい（図６参照）。外瘻チューブ２を抜去する際に、内瘻チューブ３の基端には、その半径方向に力が加わる（図３（Ｃ）参照）。すると、その力で内瘻チューブ３が引っ張られて抜け落ちてしまう可能性がある。しかし、基端にスリット３ｓ（図６（Ｂ）参照）や切欠き３ｇ（図６（Ａ）、（Ｃ）参照）等が形成されていれば、内瘻チューブ３の基端に加わる上記力を弱めることができるので、外瘻チューブ２を抜去する際に、内瘻チューブ３が抜け落ちることを抑制することができる。
【産業上の利用可能性】
【００４７】  本発明の胆道ドレナージチューブは、外瘻法による胆道ドレナージを行ったのち、内瘻法による胆道ドレナージを行う場合の器具として適している。
【符号の説明】
【００４８】      １      胆道ドレナージチューブ      ２      外瘻チューブ      ２ａ    本体部      ２ｂ    細径部      ３      内瘻チューブ      ４      脱落防止部      Ｃ      胆のう    Ｃｄ      胆管      Ｄ      十二指腸      Ｅ      内視鏡 
【図１】
2015133333.tif 000003
【図２】
2015133333.tif 000004
【図３】
2015133333.tif 000005
【図４】
2015133333.tif 000006
【図５】
2015133333.tif 000007
【図６】
2015133333.tif 000008
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
胆道をドレナージするために使用されるチューブであって、
鼻または口から挿入されて消化管内に配置される長尺な外瘻チューブと、
該外瘻チューブの先端に該外瘻チューブから分離可能に設けられた内瘻チューブと、を備えて
いる
ことを特徴とする胆道ドレナージチューブ。
【請求項２】
前記内瘻チューブは、
前記外瘻チューブの先端に挿入された状態で前記外瘻チューブに取り付けられている
ことを特徴とする請求項１記載の胆道ドレナージチューブ。
【請求項３】
前記外瘻チューブは、
本体部と、該本体部の先端部に設けられた細径部を備えており、
該細径部は、
本体部の外径および前記内瘻チューブの内径よりも外径が細くなるように形成されており、
前記内瘻チューブは、
前記外瘻チューブの細径部が該内瘻チューブ内に挿入された状態で前記外瘻チューブに取り付けられている
ことを特徴とする請求項２記載の胆道ドレナージチューブ。
【請求項４】
前記内瘻チューブの脱落を防止する脱落防止部を備えている
ことを特徴とする請求項１、２または３記載の胆道ドレナージチューブ。
【請求項５】
前記脱落防止部は、
前記内瘻チューブと前記外瘻チューブを連結するものであり、体内で溶ける素材によって形成されている
ことを特徴とする請求項４記載の胆道ドレナージチューブ。
【請求項６】
前記脱落防止部が、
前記内瘻チューブと前記外瘻チューブを連結する糸および／またはテープおよび／または接着剤である
ことを特徴とする請求項５記載の胆道ドレナージチューブ。
【請求項７】
前記外瘻チューブの細径部は、
その軸方向の長さが前記内瘻チューブの長さよりも長くなっており、
前記内瘻チューブの脱落を防止する脱落防止部を備えており、
該脱落防止部は、
前記外瘻チューブの細径部に設けられた、前記内瘻チューブの内径よりも径が太くなった部分であり、
前記内瘻チューブを取り付けた状態において、前記内瘻チューブの先端から突出した位置に設けられており、
外部からの刺激により径を収縮し得る構造を有している
ことを特徴とする請求項３記載の胆道ドレナージチューブ。
【請求項８】
前記脱落防止部は、
前記外瘻チューブの細径部を変形させて形成されたものであり、ガイドワイヤーよりも剛性の低い素材によって形成されている
ことを特徴とする請求項７記載の胆道ドレナージチューブ。
【請求項９】
前記脱落防止部は、
前記外瘻チューブへの細径部を螺旋状に形成したものである
ことを特徴とする請求項７または８記載の胆道ドレナージチューブ。
【請求項１０】
前記内瘻チューブと前記外瘻チューブを連結する連結部が設けられており、
該連結部は、
超音波刺激によって前記内瘻チューブと前記外瘻チューブの連結が分離し得るように構成されている
ことを特徴とする請求項１記載の胆道ドレナージチューブ。
【請求項１１】
前記内瘻チューブと前記外瘻チューブが連続した一本のチューブから形成されている
ことを特徴とする請求項１０記載の胆道ドレナージチューブ。
【請求項１２】
胆道をドレナージするために使用されるチューブであって、
鼻または口か挿入されて消化管内に配置される本体部と、
該本体部の先端に設けられた細径部と、を備えており、
該細径部は、
前記本体部の外径および内瘻チューブの内径よりも外径が細いものである
ことを特徴とする胆道ドレナージチューブ。
【請求項１３】
前記細径部に、前記内瘻チューブの脱落を防止する脱落防止部が形成されている
ことを特徴とする請求項１２記載の胆道ドレナージチューブ。
【請求項１４】
前記細径部は、
その軸方向の長さが前記内瘻チューブの長さよりも長くなっており、
前記脱落防止部は、
前記内瘻チューブの内径よりも径が太くなった部分であり、
前記内瘻チューブを取り付けたときに、前記内瘻チューブの先端から突出する位置に設けられており、
外部からの刺激により径を収縮し得る構造を有している
ことを特徴とする請求項１３記載の胆道ドレナージチューブ。
【請求項１５】
前記脱落防止部は、
前記外瘻チューブの細径部を変形させて形成されたものであり、ガイドワイヤーよりも剛性の低い素材によって形成されている
ことを特徴とする請求項１４記載の胆道ドレナージチューブ。
【請求項１６】
前記脱落防止部は、
前記外瘻チューブの細径部を螺旋状に形成したものである
ことを特徴とする請求項１４記載の胆道ドレナージチューブ。
【請求項１７】
前記内瘻チューブは、
その一端に、その一端から軸方向に延びる切欠きおよび／または切れ目が形成されている
ことを特徴とする請求項１乃至１１のいずれかに記載の胆道ドレナージチューブ。
【手続補正２】
【補正対象書類名】明細書
【補正対象項目名】０００３
【補正方法】変更
【補正の内容】
【０００３】
処置で、外瘻チューブと内瘻チューブの設置を行うことができればいいのであるが、現状では、そのような処置を可能とする医療機器は開発されていない。
［００１１］
本発明は上記事情に鑑み、外瘻チューブと内瘻チューブを一回の内視鏡による措置で設置することができる胆道ドレナージチューブ提供することを目的とする。
課題を解決するための手段
［００１２］
第１発明の胆道ドレナージチューブは、胆道をドレナージするために使用されるチューブであって、鼻または口から挿入されて消化管内に配置される長尺な外瘻チューブと、該外瘻チューブの先端に該外瘻チューブから分離可能に設けられた内瘻チューブと、を備えていることを特徴とする。
第２発明の胆道ドレナージチューブは、第１発明において、前記内瘻チューブは、前記外瘻チューブの先端に挿入された状態で前記外瘻チューブに取り付けられていることを特徴とする。
第３発明の胆道ドレナージチューブは、第２発明において、前記外瘻チューブは、本体部と、該本体部の先端部に設けられた細径部を備えており、該細径部は、本体部の外径および前記内瘻チューブの内径よりも外径が細くなるように形成されており、前記内瘻チューブは、前記外瘻チューブの細径部が該内瘻チューブ内に挿入された状態で前記外瘻チューブに取り付けられていることを特徴とする。
第４発明の胆道ドレナージチューブは、第１、第２または第３発明において、前記内瘻チューブの脱落を防止する脱落防止部を備えていることを特徴とする。
第５発明の胆道ドレナージチューブは、第４発明において、前記脱落防止部は、前記内瘻チューブと前記外瘻チューブを連結するものであり、体内で溶ける素材によって形成されていることを特徴とする。
第６発明の胆道ドレナージチューブは、第５発明において、前記脱落防止部が、前記内瘻チューブと前記外瘻チューブを連結する糸および／またはテ
【手続補正３】
【補正対象書類名】明細書
【補正対象項目名】０００４
【補正方法】変更
【補正の内容】
【０００４】
ープおよび／または接着剤であることを特徴とする。
第７発明の胆道ドレナージチューブは、第４発明において、前記外瘻チューブの細径部は、その軸方向の長さが前記内瘻チューブの長さよりも長くなっており、前記内瘻チューブの脱落を防止する脱落防止部を備えており、該前記脱落防止部は、前記外瘻チューブの細径部に設けられた、前記内瘻チューブの内径よりも径が太くなった部分であり、前記内瘻チューブを取り付けた状態において、前記内瘻チューブの先端から突出した位置に設けられており、外部からの刺激により径を収縮し得る構造を有していることを特徴とする。
第８発明の胆道ドレナージチューブは、第７発明において、前記脱落防止部は、前記外瘻チューブの細径部を変形させて形成されたものであり、ガイドワイヤーよりも剛性の低い素材によって形成されていることを特徴とする。
第９発明の胆道ドレナージチューブは、第７または第８発明において、前記脱落防止部は、前記外瘻チューブの細径部を螺旋状に形成したものであることを特徴とする。
第１０発明の胆道ドレナージチューブは、第１発明において、前記内瘻チューブと前記外瘻チューブを連結する連結部が設けられており、該連結部は、超音波刺激によって前記内瘻チューブと前記外瘻チューブの連結が分離し得るように構成されていることを特徴とする。
第１１発明の胆道ドレナージチューブは、第１０発明において、前記内瘻チューブと前記外瘻チューブが連続した一本のチューブから形成されていることを特徴とする。
第１２発明の胆道ドレナージチューブは、胆道をドレナージするために使用されるチューブであって、鼻または口から挿入されて消化管内に配置される本体部と、該本体部の先端に設けられた細径部と、を備えており、該細径部は、前記本体部の外径および内瘻チューブの内径よりも外径が細いものであることを特徴とする。
第１３発明の胆道ドレナージチューブは、第１２発明において、前記細径
【手続補正４】
【補正対象書類名】明細書
【補正対象項目名】０００５
【補正方法】変更
【補正の内容】
【０００５】
部に、前記内瘻チューブの脱落を防止する脱落防止部が形成されていることを特徴とする。
第１４発明の胆道ドレナージチューブは、第１３発明において、前記細径部は、その軸方向の長さが前記内瘻チューブの長さよりも長くなっており、前記脱落防止部は、前記内瘻チューブの内径よりも径が太くなった部分であり、前記内瘻チューブを取り付けたときに、前記内瘻チューブの先端から突出する位置に設けられており、外部からの刺激により径を収縮し得る構造を有していることを特徴とする。
第１５発明の胆道ドレナージチューブは、第１４発明において、前記脱落防止部は、前記外瘻チューブの細径部を変形させて形成されたものであり、ガイドワイヤーよりも剛性の低い素材によって形成されていることを特徴とする。
第１６発明の胆道ドレナージチューブは、第１４発明において、前記脱落防止部は、前記外瘻チューブの細径部を螺旋状に形成したものであることを特徴とする。
第１７発明の胆道ドレナージチューブは、第１乃至第１１発明のいずれかにおいて、前記内瘻チューブは、その一端に、その一端から軸方向に延びる切欠きおよび／または切れ目が形成されていることを特徴とする。
発明の効果
［００１３］
第１〜第３発明によれば、外瘻チューブの先端部に内瘻チューブが設けられている状態で、口から挿入され消化管に挿通された内視鏡によって外瘻チューブの先端を胆管に配置すれば、外瘻チューブを鼻または口から挿入された状態で外瘻チューブを消化管内に配置でき、外瘻チューブと内瘻チューブの両方を胆管に配置することができる。そして、外瘻チューブと内瘻チューブの両方を胆管に配置した状態から外瘻チューブを抜去すれば、内瘻チューブだけを胆管に残しておくことができる。したがって、外瘻チューブから内瘻チューブに切り替えるときに、再度内視鏡による施術をしなくてもよくなるので、患者の負担を軽減することができる。
第４発明によれば、内瘻チューブの脱落を防止する脱落防止部が設けられているので、外瘻チューブに内瘻チューブを取り付けた状態で、内視鏡によ
【手続補正５】
【補正対象書類名】明細書
【補正対象項目名】０００７
【補正方法】変更
【補正の内容】
【０００７】
口から挿入され消化管に挿通された内視鏡によって外瘻チューブの先端を胆管に配置すれば、外瘻チューブを鼻または口から挿入された状態で外瘻チューブを消化管内に配置でき、外瘻チューブと内瘻チューブの両方を胆管に配置することができる。そして、外瘻チューブと内瘻チューブの両方を胆管に配置した状態から外瘻チューブを抜去すれば、内瘻チューブだけを胆管に残しておくことができる。したがって、外瘻チューブから内瘻チューブに切り替えるときに、再度内視鏡による施術をしなくてもよくなるので、患者の負担を軽減することができる。
第１３発明によれば、内瘻チューブの脱落を防止する脱落防止部が設けられているので、外瘻チューブの細径部に内瘻チューブを取り付けた状態で、内視鏡によって外瘻チューブの先端を胆管に配置する作業を容易にすることができる。
第１４発明によれば、脱落防止部によって内瘻チューブが外瘻チューブの細径部から脱落することを防ぐことができる。しかも、外部から刺激を加えれば、脱落防止部の径を収縮させることができるので、内瘻チューブを残して外瘻チューブだけを抜去することができる。
第１５発明によれば、外瘻チューブの脱落防止部までガイドワイヤーを通せば、ガイドワイヤーの形状にならって脱落防止部が変形する。すると、脱落防止部はまっすぐになり内瘻チューブ内を通過できる状態になるので、内瘻チューブを残して外瘻チューブだけを抜去することができる。
第１６発明によれば、脱落防止部が細径部を螺旋状に形成したものであるので、脱落防止部を外瘻チューブを胆管に固定しておくストッパーとして使用することができる。
第１７発明によれば、外瘻チューブを抜去する際に内瘻チューブの基端に半径方向に力が加わっても、内瘻チューブの基端に加わる上記力を弱めることができる。したがって、外瘻チューブを抜去する際に、内瘻チューブが抜け落ちることを抑制することができる。
［図面の簡単な説明］
［００１４］
［図１］本実施形態の胆道ドレナージチューブ１の先端部の概略拡大説明図であり、（Ａ）は概略側面図であり、（Ｂ）は内瘻チューブ３を断面にした概略
【手続補正６】
【補正対象書類名】明細書
【補正対象項目名】０００８
【補正方法】変更
【補正の内容】
【０００８】
側面図である。
［図２］本実施形態の胆道ドレナージチューブ１による胆道ドレナージを説明した概略側面図である。
［図３］他の実施形態の胆道ドレナージチューブ１の先端部の概略拡大説明図であり、（Ａ）は脱落防止部４Ｂが形成されている状態の概略説明図であり、（Ｂ）は脱落防止部４Ｂが伸ばされた状態の概略説明図である。
［図４］胆道ドレナージの概略説明図であり、（Ａ）は外瘻法の概略説明図であり、（Ｂ）は内瘻法の概略側面図である。
［図５］他の実施形態の胆道ドレナージチューブ１の先端部の概略拡大説明図である。
［図６］他の実施形態の内瘻チューブ４の単体説明図である。
［発明を実施するための形態］
［００１５］
つぎに、本発明の実施形態を図面に基づき説明する。
本発明の胆道ドレナージチューブは、胆管結石や腫瘍などによる閉塞性黄疸などの際に胆管に設置されるチューブであって、外瘻チューブの設置と同時に内瘻チューブを設置できるようにしたことに特徴を有している。
［００１６］
（胆道ドレナージの説明）
まず、本実施形態の胆道ドレナージチューブ１について説明する前に、外瘻法によって本実施形態の胆道ドレナージチューブ１を設置する方法を簡単に説明する。
［００１７］
外瘻法によって胆道ドレナージを行う場合には、まず、内視鏡Ｅを口から挿入して内視鏡Ｅの先端を十二指腸Ｄ、つまり、胆管Ｃｄの出口付近に配置する。
ついで、内視鏡Ｅの鉗子孔を通して、金属などのある程度剛性の高い素材によって形成されたガイドワイヤーＧを十二指腸Ｄまで挿通させる。そして、ガイドワイヤーＧの先端部を胆管Ｃｄに挿入する（図２（Ａ）参照）。ガイドワイヤーＧの先端部が胆管Ｃｄの所定の位置に配置されると、胆道ドレナージチューブ１をガイドワイヤーＧに被せて、胆道ドレナージチューブ１
【国際調査報告】
2015133333.tif 000009
2015133333.tif 000010